【手続補正書】
【提出日】平成31年4月12日(2019.4.12)
【手続補正１】
【補正対象書類名】明細書
【補正対象項目名】０００６
【補正方法】変更
【補正の内容】
【０００６】
本発明は、上記目的を達成するために提案されたものであり、請求項１に記載のものは、演出部材を移動させて装飾演出を実行可能な移動演出ユニットと、演出画像を表示可能な表示装置と、を備えた遊技機において、
前記移動演出ユニットは、
待機位置の前記演出部材を前記表示装置の前方の演出位置へ移動可能とし、
前記演出位置では前記演出部材を前記演出画像と関連する動作を可能とし、
前記演出部材を前記演出画像と関連する動作の後に移動可能としたことを特徴とする遊技機である。
【手続補正２】
【補正対象書類名】明細書
【補正対象項目名】００５３
【補正方法】変更
【補正の内容】
【００５３】
下側昇降役物ユニット２３２は、可動部材（演出部材）を移動させて装飾演出を実行する可動演出ユニット（移動演出ユニット）であり、図３５および図３６に示すように、前側の下側昇降ユニットカバー２５１ａと後側の下側昇降ユニットベース２５１ｂとを前後に重ねて構成された下側昇降ユニットケース２５１と、該下側昇降ユニットケース２５１に昇降可能な状態で接続された下側可動役物（可動部材または演出部材）２５２と、下側昇降ユニットケース２５１に装着された下側昇降モータ（駆動源）２５３と、該下側昇降モータ２５３と下側可動役物２５２とを接続する下側昇降伝達機構（駆動伝達機構）２５４とを備えて構成されている。具体的には、下側昇降ユニットベース２５１ｂの前側のうち下側昇降ユニットカバー２５１ａから外れた側部（図３６中、左側部）に、下側可動役物２５２を昇降ガイド部２５５（詳しくは、縦長なスライドレールで構成される昇降ガイド部２５５）を介して装着し、下側昇降ユニットベース２５１ｂと下側昇降ユニットカバー２５１ａとの間には下側昇降モータ２５３と下側昇降伝達機構２５４とを備え、下側昇降モータ２５３からの出力（駆動力）を下側昇降伝達機構２５４により下側可動役物２５２に伝達して下側可動役物２５２を昇降ガイド部２５５に沿って昇降するように構成されている。なお、下側昇降ユニットケース２５１には、通電ケーブル２３７を接続する中継基板２５６と、該中継基板２５６を被覆する基板カバー２５７とを備えている。
【手続補正３】
【補正対象書類名】明細書
【補正対象項目名】００５９
【補正方法】変更
【補正の内容】
【００５９】
さらに、下側昇降役物ユニット２３２においては、下側昇降モータ２５３を駆動すると下側昇降アーム２７８が回動して下側可動役物２５２が昇降し、下側昇降ユニットベース２５１ｂの前方に設定された下降位置（待機位置）に下側可動役物２５２が配置される下降状態（図３２，図３５，図３７参照）と、下側昇降ユニットベース２５１ｂの上方に設定された上昇位置（演出位置）に下側可動役物２５２が配置される上昇状態（図３９，図４０，図４１参照）とに変換するように構成されている。そして、下降状態においては、役物下降位置検出センサ２７４が役物昇降位置検出片２７２を検出して（図３５参照）、下側可動役物２５２が下降位置に配置されていることを把握することができ、上昇状態となる直前においては、役物変換前位置検出センサ２７３が役物昇降位置検出片２７２を検出し（図３８参照）、下側可動役物２５２が上昇位置よりも下方の姿勢変換前位置に配置されていること（姿勢変換前状態）を把握することができ、上昇状態においては、役物変換前位置検出センサ２７３が役物昇降位置検出片２７２の検出状態から解除されて（図３９参照）、下側可動役物２５２が上昇位置に配置されていることを把握することができるように構成されている。なお、下降状態では、下側可動役物２５２が表示部５５ａの下方に位置して下側役物フロントユニット１３６の後方に隠れ、上昇状態（下側可動役物２５２が上昇位置（演出位置）へ移動した状態）および姿勢変換前状態では、下側可動役物２５２が表示部５５ａの下部の前方（言い換えると、表示装置５５の前方に設定された演出位置）に位置する（図４１参照）。
【手続補正４】
【補正対象書類名】明細書
【補正対象項目名】００７８
【補正方法】変更
【補正の内容】
【００７８】
前回の飾り特図変動表示ゲームが終了して、次に消化される始動記憶の表示が消化記憶表示領域３３５内に表示されると、下側可動役物２５２が待機位置から演出位置へ移動して、表示部５５ａ（表示装置５５）の演出画像と関連した関連演出を行う。詳しくは、図４９（ａ）に示すように、下側役物リアユニット１３５の下側昇降役物ユニット２３２が下側可動役物２５２を上昇させ、可動役物本体２６６が第１姿勢から第２姿勢に変換する直前の姿勢変換前位置で上昇を停止して、第１姿勢の可動役物本体２６６を表示部５５ａの前方のうち待機保留表示領域３３６から側方（図４９（ａ）中、左側方）へずれた位置に配置する。そして、消化記憶表示領域３３５内の始動記憶に対応して新たな飾り特図変動表示ゲームが実行されると、図４９（ｂ）に示すように、下側役物リアユニット１３５が下側昇降役物ユニット２３２をスライド待機位置（初期位置）から移動して、可動役物本体２６６を待機保留表示領域３３６の前方に重ねて配置する。さらに、表示部５５ａのうち可動役物本体２６６の側方に臨む箇所には、「チャンス」の台詞を吹き出し枠で囲んで表示した装飾画像（演出画像）Ａ１を表示し、可動役物本体２６６が遊技者に対して報知を行っているかのような演出を実行する。
【手続補正５】
【補正対象書類名】明細書
【補正対象項目名】００７９
【補正方法】変更
【補正の内容】
【００７９】
このとき、第１始動入賞口３６または第２始動入賞口４１に遊技球が入賞して新たに始動記憶が追加保留されると、下側昇降役物ユニット２３２が消化記憶表示領域３３５に対して演出動作を実行し、この演出動作に伴って表示装置５５が演出表示を実行する。具体的には、図４９（ｃ）に示すように、下側昇降役物ユニット２３２が下側可動役物２５２を上昇位置まで上昇させ、可動役物本体２６６を第１姿勢から第２姿勢へ変換して消化記憶表示領域３３５側へ傾ける。さらに、表示装置５５においては、消化記憶表示領域３３５の周辺部分に装飾画像Ａ２を表示して消化記憶表示領域３３５を装飾する。その後、図４９（ｄ）に示すように、下側昇降役物ユニット２３２が下側可動役物２５２を上昇位置から姿勢変換前位置まで一旦下降させて第２姿勢から第１姿勢へ戻し、表示装置５５が装飾画像Ａ２を消去するとともに消化記憶表示領域３３５内の記憶表示の表示態様を変更（円形から星形で示す表示態様へ変更）して、消化記憶表示領域３３５内の記憶表示に対応する特図変動表示ゲームの結果（言い換えると、現在実行中の特図変動表示ゲーム（飾り特図変動表示ゲームの結果）が大当りになる可能性がある旨を予告する。すなわち、特図変動表示ゲームの結果を先読みして予告する演出（先読み演出）を実行する。さらに、表示部５５ａの装飾画像（演出画像）Ａ１と関連した関連演出の実行後に、下側可動役物２５２を移動する。具体的には、図４９（ｅ）に示すように、下側役物リアユニット１３５が下側可動役物２５２を姿勢変換前位置に配置した状態で下側昇降役物ユニット２３２をスライド待機位置へ戻す。
【手続補正６】
【補正対象書類名】明細書
【補正対象項目名】０１３８
【補正方法】変更
【補正の内容】
【０１３８】
図７１に示す変形例では、下側可動役物２５２が待機保留表示領域３３６に対して演出動作を行う。具体的に説明すると、始動記憶の表示が待機保留表示領域３３６内に表示されると、図７１（ａ）に示すように、下側役物リアユニット１３５の下側昇降役物ユニット２３２が下側可動役物２５２を上昇させ、可動役物本体２６６が第１姿勢から第２姿勢に変換する直前の姿勢変換前位置で上昇を停止して、第１姿勢の可動役物本体２６６を表示部５５ａの前方のうち待機保留表示領域３３６から側方（図７１（ａ）中、左側方）へずれた位置に配置する。そして、図７１（ｂ）および（ｃ）に示すように、下側役物リアユニット１３５が下側昇降役物ユニット２３２をスライド待機位置（初期位置）から移動して、可動役物本体２６６を待機保留表示領域３３６の側方に並べて配置する。さらに、図７１（ｄ）に示すように、表示部５５ａの前方（演出位置）に配置された下側可動役物２５２が表示装置５５の演出画像と関係する動作を行う。具体的には、下側昇降役物ユニット２３２が下側可動役物２５２を上昇位置まで上昇させ、可動役物本体２６６を第１姿勢から第２姿勢へ変換して待機保留表示領域３３６側へ傾ける。さらに、表示装置５５においては、待機保留表示領域３３６の周辺部分に装飾画像（演出画像）Ａ６を表示して待機保留表示領域３３６を装飾する。 
【手続補正７】
【補正対象書類名】明細書
【補正対象項目名】０１３９
【補正方法】変更
【補正の内容】
【０１３９】
その後、図７１（ｅ）に示すように、下側昇降役物ユニット２３２が下側可動役物２５２を上昇位置から姿勢変換前位置まで一旦下降して第２姿勢から第１姿勢へ戻し、表示装置５５が装飾画像Ａ６を消去するとともに待機保留表示領域３３６内の記憶表示の表示態様を変更（円形から星形で示す表示態様へ変更）して、待機保留表示領域３３６内の記憶表示に対応する特図変動表示ゲームの結果（言い換えると、今後実行予定の特図変動表示ゲーム（飾り特図変動表示ゲームの結果）が大当りになる可能性がある旨を予告する。すなわち、特図変動表示ゲームの結果を先読みして予告する演出（先読み演出）を実行する。さらに、装飾画像（演出画像）Ａ６と関連する動作の後に下側可動役物２５２を移動する。具体的には、図７１（ｆ）および（ｇ）に示すように、下側昇降役物ユニット２３２が下側可動役物２５２を下降位置まで下降させ、下側役物リアユニット１３５が下側昇降役物ユニット２３２をスライド待機位置へ戻す。なお、図７１（ｇ）においては、待機保留表示領域３３６内の記憶表示（図７１（ｅ）において星形の表示態様に変更された記憶表示）に対応する特図変動表示ゲームが開始しているので、待機保留表示領域３３６内の記憶表示が消去され、その代わりに消化記憶表示領域３３５内に記憶表示が表示し直されている。このとき、記憶表示の表示態様を変更（星形から動物を模したキャラクターの頭の表示態様へ変更）しているが、この表示態様の変更に伴って下側可動役物２５２の演出動作を実行してもよいし、実行しなくてもよい。
【手続補正８】
【補正対象書類名】明細書
【補正対象項目名】０１５４
【補正方法】変更
【補正の内容】
【０１５４】
図７６に示す変形例では、遊技者に遊技演出ボタン１７の操作を促す操作促進演出を図柄揃えゲームの形式（スロットマシンのように、３つの変動図柄をボタン操作により停止するゲームの形式）で実行し、下側可動役物２５２がこの操作促進演出に対して演出動作を行う。具体的に説明すると、図７６（ａ）に示すように、表示装置５５が操作促進演出を表示して表示部５５ａに横並び状態の３つの図枠Ｆと、各図枠Ｆ内で変動する図柄を表示し、各図枠Ｆの下方には、ボタンを模した円形描画体（演出画像）Ｂを網掛けの塗りつぶし態様でそれぞれ表示する。また、下側役物リアユニット１３５が下側昇降役物ユニット２３２をスライド待機位置に維持し、この状態で下側昇降役物ユニット２３２が下側可動役物２５２を姿勢変換前位置まで上昇させて、第１姿勢の可動役物本体２６６を表示部５５ａの前方のうち左端の円形描画体Ｂの側方（図７６（ａ）中、左側方）へずれた位置に配置する。そして、遊技者が遊技演出ボタン１７を押圧操作すると、表示部５５ａの前方（演出位置）に配置された下側可動役物２５２が円形描画体（演出画像）Ｂと関係する動作を行う。具体的には、下側昇降役物ユニット２３２が下側可動役物２５２を姿勢変換前位置から上昇位置へ上昇させて可動役物本体２６６を第２姿勢へ変換し、可動役物本体２６６の側端部が円形描画体Ｂに触れて操作したかのような動きを表現し、表示装置５５が左端の円形描画体Ｂの周辺に装飾画像Ａ１０を表示する（図７６（ｂ）参照）。その後（詳しくは、下側可動役物２５２が円形描画体（演出画像）Ｂと関係する動作を行った後）、下側昇降役物ユニット２３２が下側可動役物２５２を上昇位置から姿勢変換前位置へ下降させて可動役物本体２６６を第１姿勢へ戻し、表示装置５５が装飾画像を消去するとともに、左端の円形描画体Ｂ（言い換えると、可動役物本体２６６が近づいて演出動作を行った円形描画体Ｂ）の塗りつぶし態様を変更（白色塗りつぶし態様に変更）し、左端の円形描画体Ｂの上方に位置する図枠Ｆに停止図柄（「７」等の図柄）を表示する（図７６（ｃ）参照）。このような演出を残りの円形描画体Ｂに対してもそれぞれ実行して（図７６（ｄ）参照）、遊技者の遊技演出ボタン１７の押圧操作に応じて図枠Ｆ内に停止図柄を表示する。
【手続補正９】
【補正対象書類名】特許請求の範囲
【補正対象項目名】全文
【補正方法】変更
【補正の内容】
【特許請求の範囲】
【請求項１】
演出部材を移動させて装飾演出を実行可能な移動演出ユニットと、演出画像を表示可能な表示装置と、を備えた遊技機において、
前記移動演出ユニットは、
待機位置の前記演出部材を前記表示装置の前方の演出位置へ移動可能とし、
前記演出位置では前記演出部材を前記演出画像と関連する動作を可能とし、
前記演出部材を前記演出画像と関連する動作の後に移動可能としたことを特徴とする遊技機。
【請求項２】
演出部材を移動させて装飾演出を実行可能な移動演出ユニットと、演出画像を表示可能な表示装置と、を備えた遊技機において、
前記移動演出ユニットは、
待機位置の前記演出部材を前記表示装置の前方の演出位置へ移動させて前記演出画像と関連した関連演出を行い、
前記演出部材を前記関連演出の実行後に移動可能としたことを特徴とする遊技機。